(57)【特許請求の範囲】
【請求項１】
洗浄水を噴出するノズル装置と、
前記ノズル装置に洗浄水を供給する洗浄水供給流路と、
制御部と、
前記制御部を操作する操作部と、を含み、
前記洗浄水供給流路は、
前記ノズル装置に洗浄水を送給する水ポンプと、
前記水ポンプの上流側にあって洗浄水を加熱する熱交換器と、
前記熱交換器の上流側にあって前記洗浄水供給流路の一部を大気に開放するサブタンクと、
前記サブタンクの上流側にあって洗浄水の供給および停止を制御する止水電磁弁と、を備え、
前記サブタンクは、満水状態において、天面の一部と貯溜された洗浄水の水面とで形成され、洗浄水が浸水しない密閉空間を備え、
前記サブタンクは、前記サブタンク内に貯溜された洗浄水の上限水位を検知する上限電極と下限水位を検知する下限電極とを前記密閉空間を形成する前記天面に備え、
前記制御部は、初期使用時において、前記止水電磁弁が洗浄水の供給を開始した後、第１の所定時間の間に、前記上限電極が上限水位を検知できない場合は、前記止水電磁弁を停止するとともに前記水ポンプを駆動する修整動作を第２の所定時間に亘り実施し、前記修整動作の終了後、前記止水電磁弁を制御して洗浄水の供給を再開することを特徴とする、
衛生洗浄装置。
【請求項２】
前記修整動作は、前記止水電磁弁が洗浄水の供給を開始した後の第３の所定時間に複数回実施されることを特徴とする、
請求項１に記載の衛生洗浄装置。
【請求項３】
前記修整動作を複数回実施し、前記止水電磁弁が洗浄水の供給を開始した後、第３の所定時間内に前記上限電極が上限水位を検知できない場合、前記制御部は異常と判定することを特徴とする、
請求項１または２に記載の衛生洗浄装置。
【発明の詳細な説明】
【技術分野】
【０００１】
本発明は、人体局部を洗浄する衛生洗浄装置におけるタンクの水位検知構造に関するものである。
【背景技術】
【０００２】
従来、この種の衛生洗浄装置のタンク内の水位検知構造としては、タンクの上面の近接した位置に２本の電極を垂下し、２本の電極が水没することにより通電状態となることにより、水位を検知する構造となっている（例えば、特許文献１参照）。
【０００３】
図３６は、特許文献１に記載された従来の衛生洗浄装置を示すものであり、衛生洗浄装置の水回路は給水電磁弁１、水ポンプ２、温水タンク３、ノズル４で構成されており、温水タンク３は密閉構造のタンクであることが推察される構成である。温水タンク３の満水状態を検知するセンサとして、温水タンク３の上部に形成された凹陥部５の天面５ａに２本の電極６が近接して設置されており、２本の電極はそれぞれ水位検知回路７に接続されている。
【先行技術文献】
【特許文献】
【０００４】
【特許文献１】特開平９−１２５４９６号公報
【発明の概要】
【発明が解決しようとする課題】
【０００５】
しかしながら、前記従来の構成では、２本の電極はタンク上部に形成された凹陥部の天面に設置されており、水ポンプで送給された水が凹陥部全体に充満せず、凹陥部の上部に空気溜が形成されることが推察される。空気溜が形成された場合でも電極の一部が浸水すれば水位検知機能は発揮されるが、特に衛生洗浄装置の使用初期等においは、水ポンプで送給される水に多くの空気が含まれることが一般的である。その場合、空気溜が大きく形成され、電極全体が浸水せず、水位を検知できない状態が持続され、以降の制御ステップに進行できないことが推察され、水位検知機能の信頼性観点から未だ改良の余地があった。
【０００６】
本発明は、前記従来の課題を解決するもので、使用の初期段階で設定以上の空気溜が発生した場合、空気溜を除去する制御操作を備えることにより、水位検知センサの信頼性の向上を図ることにより、信頼性の高い衛生洗浄装置を提供するものである。
【課題を解決するための手段】
【０００７】
前記従来の課題を解決するために、本発明の衛生洗浄装置は、洗浄水を噴出するノズル装置と、ノズル装置に洗浄水を供給する洗浄水供給流路と、制御部と、制御部を操作する操作部と、を含み、洗浄水供給流路は、ノズル装置に洗浄水を送給する水ポンプと、水ポンプの上流側にあって洗浄水を加熱する熱交換器と、熱交換器の上流側にあって洗浄水供給流路の一部を大気に開放するサブタンクと、サブタンクの上流側にあって洗浄水の供給および停止を制御する止水電磁弁と、を備え、サブタンクは、満水状態において、天面の一部と貯溜された洗浄水の水面とで形成され、洗浄水が浸水しない密閉空間を備え、サブタンクは、サブタンク内に貯溜された洗浄水の上限水位を検知する上限電極と下限水位を検知する下限電極とを密閉空間を形成する天面に備え、制御部は、初期使用時において、止水電磁弁が洗浄水の供給を開始した後、第１の所定時間の間に、上限電極が上限水位を検知できない場合は、止水電磁弁を停止するとともに水ポンプを駆動する修整動作を第２
の所定時間に亘り実施し、修整動作の終了後、止水電磁弁を制御して洗浄水の供給を再開することを特徴とするものである。
【０００８】
これにより、初期使用時に大量の空気がサブタンクに送給され、密閉空間より突出して空気溜が形成された場合、修整動作を実施することにより、空気溜を正常状態に修整させ、上限電極が水位を検知することが可能な状態にすることができるので、サブタンクの不本意な不具合を解消することができ、衛生洗浄装置の信頼性を向上することができる。
【発明の効果】
【０００９】
本発明の衛生洗浄装置は、サブタンクの不本意な不具合を解消することができ、信頼性を向上することができる。
【図面の簡単な説明】
【００１０】
【図１】本発明の実施の形態１における衛生洗浄装置を便器に設置した状態の斜視図
【図２】同衛生洗浄装置の前本体ケースを取り外した状態の斜視図
【図３】同衛生洗浄装置の前本体ケースと制御部を取り外した状態の斜視図
【図４】同衛生洗浄装置の操作部上面を示す斜視図
【図５】リモートコントローラの外観を示す斜視図
【図６】同衛生洗浄装置の洗浄手段の水回路の構成を示す模式図
【図７】同衛生洗浄装置の水回路の分解状態を示す斜視図
【図８】同衛生洗浄装置の水回路の組立状態を示す斜視図
【図９】サブタンクの外観を示す斜視図
【図１０】サブタンクの正面視の断面図
【図１１】サブタンクの側面視の断面図
【図１２】サブタンクの正常な満水状態を示す天面部の模式図
【図１３】サブタンクの異常な満水状態を示す天面部の模式図
【図１４】上限電極とコモン電極との出力電圧の変化と閾値を示すグラフ
【図１５】下限電極とコモン電極との出力電圧の変化と閾値を示すグラフ
【図１６】熱交換器の外観を示す斜視図
【図１７】熱交換器の断面図
【図１８】水ポンプの外観を示す斜視図
【図１９】水ポンプの断面図
【図２０】ノズル装置の収納状態の外観を示す斜視図
【図２１】図２０に示すＡＡ断面図
【図２２】ノズル装置の収納状態の縦断面図
【図２３】図２２に示すＢ部の詳細断面図
【図２４】図２３に示すＣＣ断面図
【図２５】ノズル装置の収納状態の横断面図
【図２６】図２５に示すＤ部の詳細断面図
【図２７】ノズル装置のお尻洗浄状態を示す縦断面図
【図２８】図２７に示すＥ部の詳細断面図
【図２９】ノズル装置のビデ洗浄状態を示す縦断面図
【図３０】図２９に示すＦ部の詳細断面図
【図３１】ノズル装置のビデ洗浄状態を示す横断面図
【図３２】図３１に示すＧ部の詳細断面図
【図３３】同衛生洗浄装置の初期使用時における洗浄手段のタイムチャート
【図３４】同衛生洗浄装置の通常使用時における洗浄手段のタイムチャート
【図３５】同衛生洗浄装置の初期使用時における異常状態に対応する洗浄手段のタイムチャート
【図３６】従来の衛生洗浄装置の水回路の構成を示す模式図
【発明を実施するための形態】
【００１１】
第１の発明は、洗浄水を噴出するノズル装置と、前記ノズル装置に洗浄水を供給する洗浄水供給流路と、制御部と、前記制御部を操作する操作部と、を含み、前記洗浄水供給流路は、前記ノズル装置に洗浄水を送給する水ポンプと、前記水ポンプの上流側にあって洗浄水を加熱する熱交換器と、前記熱交換器の上流側にあって前記洗浄水供給流路の一部を大気に開放するサブタンクと、前記サブタンクの上流側にあって洗浄水の供給および停止を制御する止水電磁弁と、を備え、前記サブタンクは、満水状態において、天面の一部と貯溜された洗浄水の水面とで形成され、洗浄水が浸水しない密閉空間を備え、前記サブタンクは、前記サブタンク内に貯溜された洗浄水の上限水位を検知する上限電極と下限水位を検知する下限電極とを前記密閉空間を形成する前記天面に備え、前記制御部は、初期使用時において、前記止水電磁弁が洗浄水の供給を開始した後、第１の所定時間の間に、前記上限電極が上限水位を検知できない場合は、前記止水電磁弁を停止するとともに前記水ポンプを駆動する修整動作を第２の所定時間に亘り実施し、前記修整動作の終了後、前記止水電磁弁を制御して洗浄水の供給を再開することを特徴とする衛生洗浄装置である。
【００１２】
これにより、初期使用時に大量の空気がサブタンク６００に送給され、密閉空間より突出して空気溜が形成された場合、修整動作を実施することにより、空気溜を正常状態に修整させ、上限電極が水位を検知することが可能な状態にすることができるので、サブタンクの不本意な不具合を解消することができ、衛生洗浄装置の信頼性を向上することができる。
【００１３】
第２の発明は、特に第１の発明において、前記修整動作は、前記止水電磁弁が洗浄水の供給を開始した後の第３の所定時間に複数回実施されることを特徴とするものである。
【００１４】
これにより、空気溜をより確実に修整することが可能となるので、信頼性をより向上することができる。
【００１５】
第３の発明は、特に第１または第２の発明において、前記修整動作を複数回実施し、前記止水電磁弁が洗浄水の供給を開始した後、第３の所定時間内に前記上限電極が上限水位を検知できない場合、前記制御部は異常と判定することを特徴とするものである。
【００１６】
これにより、不本意な不具合を解消するとともに、異常も検知することができるので、安全性と信頼性をより向上することができる。
【００１７】
以下、本発明の実施の形態について、図面を参照しながら説明する。なお、この実施の形態によって本発明が限定されるものではない。
【００１８】
（実施の形態１）
図１は本実施の形態における衛生洗浄装置を便器上に設置した状態の外観の斜視図を示し、図２は衛生洗浄装置の本体の前本体ケースを取り外した状態の斜視図を示し、図３は衛生洗浄装置の本体の前本体ケースと制御部を取り外した状態の斜視図を示し、図４は衛生洗浄装置の操作部上面の斜視図を示し、図５はリモートコントローラの外観の斜視図を示すものである。
【００１９】
＜１＞衛生洗浄装置の全体構成
図１に示すように、衛生洗浄装置１００は、本体２００、便座３００、便蓋３２０、リモートコントローラ４００、人体検知センサ４５０を主構成部材として構成され、本体２００と便座３００と便蓋３２０は一体で構成され、便器１１０の上面に設置される。
【００２０】
なお、本実施の形態においては衛生洗浄装置１００の本体２００の設置側を後方、便座３００の設置側を前方とし、前方に向かって右側を右方、前方に向かって左側を左方として各構成要素の配置を説明する。
【００２１】
本体２００の側部には突出して操作部２１０が一体に設けられ、本体２００の前部には、便座３００および便蓋３２０が便座便蓋回動機構３６０を介して開閉自在に取り付けられている。便座便蓋回動機構３６０は直流モータと複数のギアで構成されており、便座３００と便蓋３２０を個別または同時に開閉することができる。
【００２２】
図１に示すように便蓋３２０を開放した状態においては、便蓋３２０は衛生洗浄装置１００の最後部に位置するように起立する。また、便蓋３２０を閉成すると便座３００の上面を隠蔽する。便蓋３２０は樹脂材料の成型による部材で構成されており、二重構造と断熱材による断熱構造となっている。
【００２３】
便座３００は着座面を加熱する便座ヒータ（図示せず）を内蔵しており、便座の着座面が快適な温度になるように加熱する。
【００２４】
また、便座３００の回動軸を支持する本体２００内の軸受け部分には便座３００に着座した人体を検知する着座センサ（図示せず）が設置されている。この着座センサは重量式の着座センサであり、便座３００に使用者が着座することによる重量変化でスイッチを開閉させることにより、便座３００の着座面に使用者が着座していることを検知するものである。
【００２５】
本体２００の内部には、サブタンク６００、熱交換器７００、ノズル装置８００等で構成され、人体の局部を洗浄する洗浄手段５００と、排便時の臭気を脱臭する脱臭装置１２０と、衛生洗浄装置１００の各機能を制御する制御部１３０等が内蔵されている（洗浄手段５００の詳細については後述する）。
【００２６】
図２に示すように、本体２００の内部の中央部には、洗浄手段５００の主構成部材であるノズル装置８００が設置されており、ノズル装置８００の左側には、脱臭装置１２０が設置されている。また左側部には便座３００と便蓋３２０を開閉駆動する便座便蓋回動機構３６０が設置されている。
【００２７】
図３に示すように、ノズル装置８００の右側には、前方に洗浄手段５００の止水電磁弁５１４、サブタンク６００等が設置されており、その後方には熱交換器７００が設置されており、熱交換器７００の後方には水ポンプ５１６が設置されている。また、図２に示すように洗浄手段５００の上方には制御部１３０が設置されている。
【００２８】
本体２００の右側部には前方に突出するように操作部２１０が一体に設けられており、図４に示すように、衛生洗浄装置１００の各機能を操作および設定する複数のスイッチと表示灯２４０が設置されている。
【００２９】
操作部２１０の内部には操作基板（図示せず）が設置されている。操作基板には複数のタクトスイッチと複数のＬＥＤが設置されており、操作部２１０の上面に貼付されたスイッチ銘板を介してタクトスイッチの押圧操作とＬＥＤの視認が可能となっている。
【００３０】
また、操作部２１０の上面後方には、リモートコントローラ４００と人体検知センサ４５０から送信される赤外線信号を受信する赤外線受信部２１１が配置されている。
【００３１】
操作部２１０に設置されたスイッチは、洗浄動作を操作する複数の操作スイッチ２２０
と各種機能を設定する複数の設定スイッチ２３０が設置されている。また、表示灯２４０としては設定状態を表示する複数のＬＥＤが設置されている。
【００３２】
操作スイッチ２２０としては、リモートコントローラ４００の電池切れや、故障の場合に補助的に使用するお尻洗浄スイッチ２２１と、ノズルの掃除を行うときに操作するノズル掃除スイッチ２２２が設けられている。
【００３３】
設定スイッチ２３０としては、洗浄水の温度を設定する温水温度スイッチ２３１と、便座の温度を設定する便座温度スイッチ２３２と、設定されてから８時間に亘り便座３００の保温を停止する８時間切りスイッチ２３３と、衛生洗浄装置１００が使用されない時間帯を自動的に学習して、使用されない時間帯に便座３００の保温温度を下げることにより節電を行う節電スイッチ２３４と、便座３００および便蓋３２０の自動開閉動作を設定する便蓋自動開閉スイッチ２３５等が設置されている。
【００３４】
衛生洗浄装置１００の多くの操作は、本体２００とは別体で構成されたリモートコントローラ４００で行われる。リモートコントローラ４００は便座３００に着座した使用者が操作のしやすいトイレルームの壁面等に取り付けられる。
【００３５】
図５に示すように、リモートコントローラ４００の全体形状は薄い直方体に形成されており、樹脂材料で成形された箱状のリモコン本体４０１の上面と前面に複数のスイッチと表示灯が設置されている。また、リモコン本体４０１に上部角にはリモートコントローラ４００の操作信号を本体２００に赤外線で送信する送信部４０２が配置されている。
【００３６】
リモコン本体４０１の内部にはリモートコントローラ４００の制御機能を構成する制御基板（図示せず）と、リモートコントローラ４００の電源である電池（図示せず）が内蔵されている。
【００３７】
リモコン本体４０１の前面中央部には、お尻洗浄を開始するお尻洗浄スイッチ４１０と、女性の局部洗浄を洗浄するビデ洗浄を開始するビデ洗浄スイッチ４１１と、お尻洗浄とビデ洗浄を停止する停止スイッチ４１２と、お尻洗浄およびビデ洗浄時に洗浄位置を前後に周期的に移動させて広い範囲の洗浄が可能とするムーブ洗浄スイッチ４１３と、お尻洗浄時に洗浄強さを周期的に変化させるリズム洗浄スイッチ４１４が配置されている。
【００３８】
前面上部には、お尻洗浄およびビデ洗浄時の洗浄強さを２個のスイッチで調節する洗浄強さスイッチ４１５と、お尻洗浄およびビデ洗浄時の洗浄位置を２個のスイッチで調整する洗浄位置スイッチ４１６と、ノズルを４０℃の温水で約１分間洗浄するノズル除菌スイッチ４１７が配置されている。
【００３９】
また、洗浄強さスイッチ４１５の上方には、洗浄強さを５段階で表示するＬＥＤの強さ表示灯４２１と、洗浄位置スイッチ４１６の上方には、洗浄位置を５段階で表示する位置表示灯４２２が配置されている。
【００４０】
リモコン本体４０１の上面には、便蓋を電動で開閉する便蓋スイッチ４１８と、便座を電動で開閉する便座スイッチ４１９が設置されており、スイッチ操作により使用者が任意に便座３００と便蓋３２０を開閉できる構成となっている。
【００４１】
人体検知センサ４５０は本体２００とは別体で構成されており、トイレルームの壁面等に取り付けられる。人体検知センサ４５０は、人体から放出される赤外線を受光する焦電センサ（図示せず）と、焦電センサの信号で人体の検出を判定するセンサ制御部（図示せず）と、センサ制御部からの人体検知信号を本体２００の制御部に赤外線で送信する赤外
線送信部（図示せず）と、人体検知センサ４５０の電源である電池（図示せず）等で構成されている。
【００４２】
＜２＞洗浄手段の構成
図６は衛生洗浄装置の洗浄手段の水回路の構成を示す模式図である。
【００４３】
本体２００の内部には使用者の局部を洗浄する洗浄手段５００が内蔵されている。洗浄手段５００は洗浄水を噴出するノズル装置８００と、給水接続口５１０からノズル装置８００に洗浄水を供給する一連の洗浄水供給流路とで形成されている。
【００４４】
図６に示すように、洗浄水供給流路は、給水接続口５１０と、ストレーナ５１１と、逆止弁５１２と、定流量弁５１３と、止水電磁弁５１４と、リリーフ弁５１５と、サブタンク６００と、熱交換器７００と、バッファータンク７５０と、水ポンプ５１６と、流調弁５１７と、が順次設置され、ノズル装置８００に接続されている。
【００４５】
本体２００の右側下方に水道管が接続される給水接続口５１０が配置されており、給水接続口５１０の内部には水道水に含まれるごみの流入を防止するストレーナ５１１と、サブタンク６００内に貯溜された水が水道配管に逆流することを防止する逆止弁５１２が組み込まれている。
【００４６】
逆止弁５１２の下流には、流路に流れる洗浄水の量を一定に保つ定流量弁５１３と、流路を電動で開閉する止水電磁弁５１４と、リリーフ弁５１５とが一体に構成されている。
【００４７】
止水電磁弁５１４の下流には、大気解放口を備えたサブタンク６００と、洗浄水を瞬時に加熱する熱交換器７００と、熱交換器７００で加熱された温水の温度を均一にするバッファータンク７５０が接続されている。
【００４８】
バッファータンク７５０の下流には、水ポンプ５１６が接続されている。水ポンプ５１６の下流には、流調弁５１７を介してノズル装置８００が接続されており、流調弁５１７のそれぞれのポートにはノズル装置８００のお尻洗浄部８３１、ビデ洗浄部８３２、ノズルクリーニング部８３３が接続されている。
【００４９】
図７および図８に示すように、洗浄手段５００を構成する部材のうち、給水接続口５１０、ストレーナ５１１、逆止弁５１２、定流量弁５１３、止水電磁弁５１４、リリーフ弁５１５、サブタンク６００、熱交換器７００、バッファータンク７５０、水ポンプ５１６は樹脂材料で成型されたシャーシ５０１に組み込まれ一体的に構成され、本体２００の後本体ケース２０１に組みつけられている。
【００５０】
図７に示すように、ストレーナ５１１と逆止弁５１２は給水接続口５１０に一体に組み込まれており、定流量弁５１３とリリーフ弁５１５とは止水電磁弁５１４に一体に組み込まれている。また、バッファータンク７５０は熱交換器７００と一体に構成されている。
【００５１】
給水接続口５１０と止水電磁弁５１４、止水電磁弁５１４とサブタンク６００、サブタンク６００と熱交換器７００、とは接続チューブ等を介さず、相互の接続口をパッキンであるＯリングを介して直接接続する構成となっている。また、これらの水回路を構成する部材はシャーシ５０１の所定の位置に設置固定されている。
【００５２】
このような構成を採用することにより、水密構造を向上することが可能になるとともに、相互の部材の配置精度を向上することができる。特にサブタンク６００と熱交換器７００の配置精度が向上することにより、洗浄水の流量の制御精度を向上することが可能とな
り、洗浄手段５００の性能の向上と制御精度を向上することができる。
【００５３】
水ポンプ５１６は容積形ポンプであるピストンポンプであり、図１８、図１９に示すように、外形は略Ｌ字状をなしており、略円筒形のモータ部５１６ａと、モータの回転運動を往復運動に変換するリンク機構部５１６ｂと、リンク機構部５１６ｂの往復運動で駆動されるピストン部５１６ｃで構成されている。ピストン部５１６ｃの外面には、接続口として吸水口５１６ｄと吐出口５１６ｅが設けられている。
【００５４】
上記構成の水ポンプ５１６を駆動させた場合、往復運動を伴うリンク機構部５１６ｂとピストン部５１６ｃに比べ、回転運動のみのモータ部５１６ａでは発生する振動が少ない構成となっている。
【００５５】
モータ部５１６ａを駆動することにより、ピストン部５１６ｃが往復運動を開始し、吸水口５１６ｄから洗浄水を吸引して、吐出口５１６ｅから洗浄水吐出する構成であり、吐出する洗浄水はピストン部５１６ｃの往復運動に伴い適度の脈動を伴った水流となる。
【００５６】
上記構成の水ポンプ５１６の略円柱形のモータ部５１６ａの外周を、弾性を備えた発泡樹脂製の緩衝部材（図示せず）で包囲し、シャーシ５０１の後部に設けられた略円筒形の水ポンプ設置部５０１ａに挿入することにより支持され、リンク機構部５１６ｂとピストン部５１６ｃは下方に垂れ下がるように懸架される。
【００５７】
水ポンプ設置部５０１ａは薄い肉厚で形成されており、シャーシ５０１の底面から起立したリブ状の脚部５０１ｂの上部に形成されている。薄い肉厚で形成したことにより樹脂の弾性により水ポンプ５１６の振動を吸収する効果を得ることができる。
【００５８】
また、バッファータンク７５０が一体に形成された熱交換器７００の接続口である出湯口７１２と水ポンプ５１６の接続口である吸水口５１６ｄとは軟質樹脂製の接続チューブで接続される。
【００５９】
上記のように、振動の少ないモータ部５１６ａが緩衝部材を介して、シャーシ５０１の薄い肉厚で形成された水ポンプ設置部５０１ａに設置され、振動を多く発生するリンク機構部５１６ｂとピストン部５１６ｃとはフリーな状態で懸架され、しかもバッファータンク７５０とは軟質樹脂製の接続チューブ５０２で接続されることにより、水ポンプ５１６の駆動時に発生する振動をシャーシ５０１や他の部材、また本体２００に伝わること抑制することが可能となり、衛生洗浄装置の快適性と耐久性を向上する効果を得ることができる。
【００６０】
特に水ポンプ５１６は、発泡樹脂製の緩衝部材と水ポンプ設置部５０１ａを形成する弾性を備えた樹脂との２つの異なる材質を介して支持されることにより、広い範囲の周波数の振動が吸収され、本体への振動の伝達を効果的に抑制することができる。
【００６１】
次に、衛生洗浄装置の洗浄手段５００の基本的な制御について説明する。
【００６２】
水道配管を流れる水道水が、洗浄水として給水接続口５１０から供給され、止水電磁弁５１４が開放されることによりサブタンク６００へ洗浄水が供給される。流路内を流れる洗浄水の流量は定流量弁５１３により一定に維持される。止水電磁弁５１４の駆動は、リモートコントローラ４００および操作部２１０の操作に基づき制御部１３０により制御される。
【００６３】
サブタンク６００に貯溜された洗浄水は、水ポンプ５１６が駆動されることにより熱交
換器７００に供給される。水ポンプ５１６の駆動はリモートコントローラ４００および操作部２１０の操作に基づき制御部１３０により制御される。制御部１３０は水ポンプ５１６を駆動するとともに、熱交換器７００の平板状ヒータ７０２への通電を開始し、洗浄水の加熱を開始する。
【００６４】
制御部１３０は入水温度センサ６３０と出湯温度センサ７３０の検知情報により、平板状ヒータ７０２への通電を制御し、洗浄水を操作部２１０の温水温度スイッチ２３１で設定された温度を維持する。
【００６５】
続いて、熱交換器７００で加熱された洗浄水が流調弁５１７に供給される。制御部１３０は操作部２１０およびリモートコントローラ４００の操作情報に基づき流調弁５１７を制御して、ノズル装置８００のお尻洗浄部８３１、ビデ洗浄部８３２、ノズルクリーニング部８３３のいずれかに洗浄水を供給する。これにより、お尻洗浄噴出口８３４、ビデ洗浄噴出口８３６、ノズルクリーニング噴出口８３８のいずれかの噴出口から洗浄水が噴出する。
【００６６】
＜３＞サブタンクの構成
図９はサブタンクの外観を示す斜視図を示すものであり、図１０はサブタンクの横方向の断面図を示し、図１１はサブタンクの前後方向の断面図を示し、図１２はサブタンクの正常な満水状態を示す天面部の模式図を示し、図１３はサブタンクの異常な満水状態を示す天面部の模式図を示すものである。
【００６７】
図９に示すように、サブタンク６００は樹脂材料により成型されたタンク本体６１０と、タンク本体６１０に貯溜された洗浄水の水位を検知する水位検知センサ６２０と、タンク本体６１０内に供給される洗浄水の温度を検知するサーミスタからなる入水温度センサ６３０とで構成されている。
【００６８】
タンク本体６１０はタンクの前壁、両側壁、底面、天面を構成する前部タンク６１１と、タンクの後壁を構成する後部タンク６１２と、の２個の部材で構成されている。タンク本体６１０の全体的な形状は、前壁、後壁、両側壁、底面、天面からなる複数の平面で形成されており、平面視形状は略四角形である。前壁は途中から後退する傾斜部を備え、側面視形状は下部より上部が細くなった略台形形状に形成されており、タンク本体６１０の上部の断面積は下部より小さい断面積となっている。
【００６９】
タンク本体６１０の一方の側壁下部には入水口６０１が、タンク本体６１０の後壁下部には出水口６０２が設けられており、タンク本体６１０の側壁上部にはタンク本体６１０の内部と外部を連通する大気開放口６０３が設けられている。大気開放口６０３を設けることにより、タンク本体６１０内に溜まった空気を外部に放出するとともに、タンク本体６１０の内部圧力を常時大気圧に維持することができる。
【００７０】
サブタンク６００の内部が常時大気圧に維持されることにより、サブタンク６００の下流から水ポンプ５１６の吸水口５１６ｄまでの流路も大気圧に維持されるため、水ポンプ５１６は水圧変動の影響を受けずに吸水することができるため、安定したポンプ機能を発揮することができる。
【００７１】
タンク本体６１０の入水口６０１の内部には、入水口６０１に対向する位置に底面より起立する仕切壁６１３と仕切壁６１３を覆うように側壁より略Ｌ字状に延出した整流リブ６１４で構成された整流部６１５と、整流部６１５を通過した洗浄水を貯溜する貯溜部６５０が形成されている。貯溜部６５０の後壁下部には出水口６０２が設けられている。
【００７２】
入水口６０１より流入した洗浄水は、整流部６１５の下部に流入し、整流部６１５内を上昇し、仕切壁６１３と整流リブ６１４との間隙を通過して貯溜部６５０内に流入する。
【００７３】
この間、入水口６０１から流入する洗浄水の圧力が高い場合、あるいは大量の空気を含んで流れが乱れている場合でも、洗浄水は整流部６１５内で流れが整流化され、貯溜部６５０内には整流化された洗浄水が流入して貯溜される。洗浄水に含まれる空気は貯溜中に分離され、大気開放口６０３よりタンク本体６１０外に放出される。
【００７４】
上記のように、入水口６０１から流入した洗浄水はサブタンク６００内に貯溜中に洗浄水に含まれる空気が分離され、分離された空気は大気開放口６０３よりタンク本体６１０外に放出され、空気を含まない洗浄水が出水口６０２より熱交換器７００に供給される。
【００７５】
サブタンク６００より熱交換器７００に供給される洗浄水に空気が混入していた場合、熱交換器７００の内部に気泡が発生することにより熱交換器７００の内部の温度が異常上昇し、熱交換器７００が損傷することがあり、サブタンク６００内で洗浄水に含まれる空気を分離および放出することにより、熱交換器７００の損傷を防止する効果を得ることができる。
【００７６】
水位検知センサ６２０は、共通の電極となるコモン電極６２１と、水位毎に設置された複数の水位電極６２２で構成されており、１個のコモン電極６２１と２個の水位電極６２２で構成されている。コモン電極６２１と水位電極６２２はいずれもステンレス材料で形成されている。
【００７７】
タンク本体６１０の前壁下部の内面にはコモン電極６２１が配置されており、タンク本体６１０の天面の内面には水位電極６２２が配置されている。水位電極６２２は天面より垂下して設置されており、電極の長さが短く、先端が高い位置に配置された上限電極６２３と、電極の長さが長く、先端が低い位置に配置された下限電極６２４で構成されている。コモン電極６２１は下限電極６２４の先端より低い位置に設置されており、コモン電極６２１は通常の使用状態では常に浸水状態となっている。
【００７８】
図１０、図１２、図１３に示すように、タンク本体６１０の天面には２枚の垂下するリブ６１６により、上方に凹陥した２個の凹陥部６１７が形成されている。タンク本体６１０内の水位が上昇し、リブ６１６の下端より上昇した場合、凹陥部６１７は水面６５１により密閉されることにより、空気が貯溜された空間が形成され、サブタンク６００の満水状態においても凹陥部６１７の少なくとも一部には洗浄水で浸水されない密閉空間６１８が形成される。
【００７９】
上限電極６２３と下限電極６２４は、それぞれ凹陥部６１７の最も高い位置である天面に設置されており、上限電極６２３と下限電極６２４の基部は、水位が上昇した場合に形成される密閉空間６１８内に配置されている。
【００８０】
上限電極６２３と下限電極６２４が密閉空間６１８内に配置されたことにより、上限電極６２３と下限電極６２４の基部は常に洗浄水と直接接触しない構成であり、上限電極６２３と下限電極６２４の先端が水面６５１より離間した状態においては、上限電極６２３と下限電極６２４の基部とタンク本体６１０の内面に付着した残水とは、確実に離間した状態となり、タンク本体６１０の内面に付着した残水を貯溜水として誤検知することを防止する効果を得ることができる。
【００８１】
また、制御部１３０は、電極に印加する直流電流の極性を周期的に反転させながら印加する構成となっている。洗浄水を介してコモン電極６２１と水位電極６２２と間に直流電
流を印加した場合、電気分解の作用により電極を形成する金属が酸化およびイオン化による溶出することにより、電極が短期間に劣化することがあり、電流の極性を周期的に反転することにより電極の劣化を抑制することができる。
【００８２】
本実施の形態においては、極性の反転の間隔は、衛生洗浄装置の電源として供給される交流電源に対応した時間設定となっており、供給される交流電源が５０Ｈｚの場合は１／５０秒、供給される交流電源が６０Ｈｚの場合は１／６０秒としている。
【００８３】
本実施の形態における衛生洗浄装置１００においては、止水電磁弁５１４が開放されてサブタンク６００に洗浄水が供給され、上限水位が検知されると、止水電磁弁５１４は閉止され給水が停止し、サブタンク６００内は満水状態となる。サブタンク６００の満水状態から、通常の洗浄動作を実施すると水位が低下し、下限水位が検知されると止水電磁弁５１４が再び開放されてサブタンク６００に洗浄水が供給され、上限水位が検知されるまで給水が継続される。
【００８４】
サブタンク６００に貯溜される洗浄水の最大量は１００ｃｃであり、上限水位から下限水位までの水量は６５ｃｃである。
【００８５】
洗浄に使用される洗浄水の流量は最も強い洗浄力で洗浄した場合は４５０ｃｃ／ｍｉｎであり、最も弱い洗浄力洗浄した場合は２６０ｃｃ／ｍｉｎに設定されている。この場合、洗浄水が上限水位から下限水位に到達するまでの時間は、最も強い洗浄力で洗浄した場合８．７秒間となり、最も弱い洗浄力で洗浄した場合１５秒間となる。
【００８６】
一般的に使用者が局部の洗浄に要する時間は３０秒以上であるので、最も弱い洗浄力で洗浄した場合でも１３０ｃｃの洗浄水を使用することとなり、１回の洗浄動作で、最低１回は上限水位から下限水位への変化を検知することが可能となる。
【００８７】
制御部１３０は、上限水位から下限水位までの経過時間を計測し、計測した時間と上限水位から下限水位までの水量（６５ｃｃ）とを演算することにより流量を算出し、洗浄強さ毎に設定された流量と差がある場合は、水ポンプ５１６の出力を調整することにより、洗浄水の流量を補正する。
【００８８】
なお、本実施の形態のサブタンク６００は底面が略四角形の形状としたが、これに限るものではなく、他の多角形状でもよい。
【００８９】
また、本実施の形態においては、水位電極６２２としては上限電極６２３と下限電極６２４の２個を設置したがこれに限るものではなく、３個以上の水位電極６２２を配置することにより、水位検知の間隔を細分化することにより、水位検知と流量検知の精度を向上することができる。
【００９０】
＜４＞水位検知の閾値の補正
図１４は上限電極とコモン電極との出力電圧の変化と上限電極の浸水状態と非浸水状態を判定する閾値を示すグラフであり、図１５は下限電極６２４とコモン電極との出力電圧の変化と下限電極の浸水状態と非浸水状態を判定する閾値を示すグラフである。
【００９１】
上記のように、本実施の形態におけるサブタンクの水位検知センサ６２０で検知した検知データは単に水位の検知のみに使用されるものではなく、演算処理により流量検知に使用されるものであり、高い検知精度が要求されるものである。
【００９２】
２つの電極間の出力電圧の変化により水位を検知する場合、水位電極６２２と洗浄水の
水面との接触および離脱により変化する出力電圧を閾値と比較して判定するものであるが、出力電圧は洗浄水の導電率と温度によりバラツキが発生する。
【００９３】
衛生洗浄装置の場合、使用される洗浄水を限定して導電率を一定にすることは難しく、また、使用時の導電率を検知して、補正するためには専用の検知センサを採用することによりコストアップにつながるため、本実施の形態においては、サブタンク６００に設置した入水温度センサ６３０の検知データを使用して温度的な補正を行うことにより広い範囲の導電率の洗浄水に対応できるようにしている。
【００９４】
図１４に示すように、上限電極６２３とコモン電極６２１との間の出力電圧は、上限電極６２３が浸水していない状態においては、グラフの破線で示すように、洗浄水の入水温度が５℃の場合は約４．７Ｖであり、４０℃の場合は約４．４Ｖであり、温度変化に対して略直線的に変化している。また、上限電極６２３が浸水した状態においては、洗浄水の入水温度が５℃の場合は約２Ｖであり、４０℃の場合は約１．４Ｖであり、温度変化に対して略直線的に変化している。
【００９５】
上記のように出力電圧が入水温度により変化するため、上限電極６２３の浸水状態と非浸水状態を判定する閾値を一定にした場合、導電率の異なる洗浄水を使用された場合に誤検知する可能性があり、洗浄水の入水温度に対応して補正することが有効である。
【００９６】
図１４のグラフにおいて実線で示すように、０℃〜５℃の間は閾値を３．９Ｖ、３５℃〜４０℃の間は閾値を３．３Ｖとし、０℃〜４０℃の間は５℃毎に段階的に閾値を設定している。
【００９７】
図１５に示すように、下限電極６２４とコモン電極６２１との間の出力電圧は、下限電極６２４が浸水していない状態においては、グラフの破線で示すように、洗浄水の入水温度が５℃の場合は約３．５Ｖであり、４０℃の場合は約２．９Ｖであり、温度変化に対して略直線的に変化している。また、下限電極６２４が浸水した状態においては、洗浄水の入水温度が５℃の場合は約１．５Ｖであり、４０℃の場合は約１Ｖであり、温度変化に対して略直線的に変化している。
【００９８】
上記のように上限電極６２３の場合と同様に、出力電圧が入水温度により変化するため、閾値を一定にした場合、導電率の異なる洗浄水を使用された場合に誤検知する可能性があり、洗浄水の入水温度に対応して閾値を補正している。
【００９９】
図１５のグラフにおいて実線で示すように、０℃〜５℃の間は閾値を３．５Ｖ、３５℃〜４０℃の間は閾値を２．９Ｖとし、０℃〜４０℃の間は５℃毎に段階的に閾値を設定している。
【０１００】
制御部１３０は、入水温度センサ６３０の温度検知データに基づき、上限電極６２３と下限電極６２４に対応する水位検知の閾値を上記の補正することにより、広い範囲の導電率の洗浄水の水位を正確に検知することができる。
【０１０１】
＜５＞熱交換器の構成
図１６は熱交換器の外観を示す斜視図であり、図１７は熱交換器の断面図を示すものである。
【０１０２】
本実施の形態における熱交換器７００はバッファータンク７５０が一体に形成されており、熱交換器７００の上部にバッファータンク７５０が設置されている。
【０１０３】
図１６に示すように、熱交換器７００は正面視で略長方形の平板状をなし、ＡＢＳ樹脂にガラス繊維をコンパウンドした強化ＡＢＳ樹脂で成型されたケーシング７０１とセラミック製の平板状ヒータ７０２と出湯部材７０３とを主構成部材としている。
【０１０４】
ケーシング７０１は前面部を構成する前面部材７１０と、背面部構成する背面部材７２０で構成されており、前面部材７１０と背面部材７２０との間に形成される空間に平板状ヒータ７０２が設置されている。前面部材７１０と平板状ヒータ７０２との対向部と、背面部材７２０と平板状ヒータ７０２との対向部に形成された隙間を加熱流路７１５とし、加熱流路７１５を流れる洗浄水を平板状ヒータ７０２で瞬時に昇温させるものである。
【０１０５】
熱交換器７００は、前面部材７１０の前面下端の右側に接続口である入水口７１１を備えており、前面部材７１０の右側面上端に設置された出湯部材７０３には接続口である出湯口７１２を備えている。
【０１０６】
図１７に示すように、入水口７１１に連なる入水流路７１３がケーシング７０１の下端部の略全幅に亘り設けられている。入水流路７１３の上面には全幅に亘り複数のスリット７１４が設けられており、入水流路７１３に流入した洗浄水はスリット７１４を通過して加熱流路７１５へ流入する構成となっている。スリット７１４は洗浄水を加熱流路７１５の全幅に亘り均等に流入させるものである。
【０１０７】
加熱流路７１５の上端部には仕切リブ７１６が設けられており、仕切リブ７１６より上方がバッファータンク７５０となっている。仕切リブ７１６には略全幅に亘り複数の通水孔７１７が設けられており、加熱流路７１５で加熱された洗浄水は通水孔７１７を通過してバッファータンク７５０内に流入する構成となっている。
【０１０８】
バッファータンク７５０内には断面形状が略半円形の突起７１８が略全幅に亘り間隔をあけて設けられている。バッファータンク７５０内を出湯口７１２に向かって流れる洗浄水は、突起７１８による流れが乱されることにより、洗浄水が混ざり合って洗浄水の温度斑が解消され、均一な温度の洗浄水が出湯口７１２より出湯される。
【０１０９】
出湯部材７０３には２個のサーミスタが設置されており、一方は洗浄水の出湯温度を検知する出湯温度センサ７３０であり、他方は熱交換器７００の過昇温度を検知する過昇温度センサ７３１である。
【０１１０】
＜６＞ノズル装置の構成
図２０は本実施の形態におけるノズル装置の収納状態を示す斜視図であり、図２１は図２０に示すＡＡ断面図であり、図２２はノズル装置の収納状態を示す縦断面図であり、図２３は図２２に示すＢ部の詳細断面図であり、図２４は図２３に示すＣＣ断面図であり、図２５はノズル装置の収納状態の横断面図であり、図２６は図２５に示すＤ部の詳細断面図であり、図２７はノズル装置のお尻洗浄状態を示す縦断面図であり、図２８は図２７に示すＥ部の詳細断面図であり、図２９はノズル装置のビデ洗浄状態を示す縦断面図であり、図３０は図２９に示すＦ部の詳細断面図であり、図３１はノズル装置のビデ洗浄状態を示すノズル部の横断面図であり、図３２は図３１に示すＧ部の詳細断面図である。
【０１１１】
ノズル装置８００は、図２０に示すように、樹脂材料で成型した略三角形の枠状の支持部８１０と、支持部８１０に沿って進退移動するノズル部８２０と、ノズル部８２０の進退移動を駆動する駆動部８６０と、ノズル部８２０への洗浄水の供給を切り替える流調弁５１７で構成されている。
【０１１２】
なお、本実施の形態においてはノズル部の収納方向を後方とし、ノズル部８２０の進出
方向を前方とし、後方より前方に向かって右側を右方、左側を左方として各構成要素の配置を説明する。
【０１１３】
支持部８１０は側面視略三角形の枠状に形成されており、略水平な底辺部８１１に対し、後部より前部に向かって降下した傾斜部８１２と、底辺部８１１と傾斜部８１２の後端を接合する縦辺部８１３が形成されている。傾斜部８１２にはノズル部８２０の進退移動を案内するガイドレール８１４と駆動部８６０の可撓ラック８６１を案内するラックガイド８１５が略全長に亘って形成されている。また傾斜部８１２の前端下方にはノズル部８２０を抱囲するように支持する略円筒形の抱持部８１６が一体に形成されている。
【０１１４】
図２１に示すように、ノズル部８２０を案内するガイドレール８１４は断面が略Ｔ字状に形成されている。また、可撓ラック８６１を案内するラックガイド８１５は断面が一方の側面が開放された略コの字状を成しており、可撓ラック８６１の上下面と一方の側面を規制して案内する構成となっている。
【０１１５】
ラックガイド８１５は傾斜部８１２に続いて支持部８１０の後部の縦辺部８１３と底辺部８１１にも連続して形成されており、傾斜部８１２と縦辺部８１３および縦辺部８１３と底辺部８１１とのコーナは円弧形状で接続されている。縦辺部８１３と底辺部８１１に形成されたラックガイド８１５の断面形状も略コの字状であるが、開放された側面は傾斜部においては左側であるのに対し、縦辺部８１３と底辺部８１１とは反対の右側面となっている。縦辺部８１３と底辺部８１１のラックガイド８１５の開放面は別部材の支持部蓋により閉塞されている。
【０１１６】
ノズル部８２０をガイドレール８１４に沿って進退移動させる駆動部８６０は、ノズル部８２０に結合された可撓ラック８６１と、可撓ラック８６１と噛合するピニオンギア８６２と、ピニオンギア８６２を回転駆動する駆動モータ８６３で構成されている。
【０１１７】
駆動モータ８６３はステッピングモータであり、パルス信号により回転角度が制御される。駆動モータ８６３が回転することによりピニオンギア８６２を介して可撓ラック８６１が駆動される構成となっている。
【０１１８】
支持部８１０の抱持部８１６の内周面とノズル部８２０の外周面との間には間隙が設けられており、ノズル部８２０から噴出した洗浄水が抱持部８１６の内周面とノズル部８２０の外周面との間に形成される間隙に流入してノズル部８２０外周面を洗浄する構成となっている。
【０１１９】
また、抱持部８１６の前方にはノズル部８２０の進退により開閉するノズル蓋８０１が開閉自在に設けられており、ノズル部８２０が収納されている状態で閉塞することにより、ノズル部８２０が便等で汚染されることを防止する構成となっている。
【０１２０】
支持部８１０の底辺部８１１には、洗浄水供給手段に接続する給水チューブ（図示せず）と支持部８１０から流調弁５１７に洗浄水を供給する接続チューブ８０２とを相互に接続する給水継手８１７が形成されている。
【０１２１】
ノズル部８２０は、樹脂材料で成型された棒状のノズル本体８３０と、ノズル本体８３０の略全体を覆う筒状のノズルカバー８４０と、ノズル本体８３０でノズルカバー８４０を牽引する連結手段８５０とで構成されている。
【０１２２】
ノズル本体８３０は、局部を洗浄するお尻洗浄部８３１と、女性の局部を洗浄するビデ洗浄部８３２と、ノズル部８２０をクリーニングするノズルクリーニング部８３３を備え
ている。
【０１２３】
お尻洗浄部８３１は、ノズル本体８３０の先端部に上方に開口したお尻洗浄噴出口８３４と、ノズル本体８３０の後端よりお尻洗浄噴出口８３４に連通するお尻洗浄流路８３５で構成されている。お尻洗浄流路８３５はノズル本体８３０の下部に設置されており、お尻洗浄噴出口８３４の下方で上方に向かって屈曲しており、屈曲部には洗浄水の流れを整流する整流板８３５ａが設置されている。お尻洗浄噴出口８３４から噴出した洗浄水はノズルカバー８４０の噴出開口８４４を通過して上方に向かって噴出される。
【０１２４】
ビデ洗浄部８３２は、お尻洗浄噴出口８３４の後方に配置されたビデ洗浄噴出口８３６と、ノズル本体８３０の後端よりビデ洗浄噴出口８３６に連通するビデ洗浄流路８３７で構成されている。ビデ洗浄噴出口８３６から噴出した洗浄水はノズルカバー８４０の噴出開口８４４を通過して上方に向かって噴出される。
【０１２５】
ノズルクリーニング部８３３は、ノズル本体８３０の側面に配置されたノズルクリーニング噴出口８３８と、ノズル本体８３０の後端よりノズルクリーニング噴出口８３８に連通するノズルクリーニング流路８３９で構成されている。ノズルクリーニング噴出口８３８から噴出した洗浄水はノズルカバー８４０の内部に噴出され、ノズルカバー８４０排水口８４５からノズルカバー８４０の外部に放出される。ノズルクリーニング噴出口８３８から噴出した洗浄水はノズル部８２０とその周辺の清掃に使用される。
【０１２６】
ノズル部８２０は、前方を支持部８１０の抱持部８１６に挿入した状態で支持され、後部をガイドレール８１４に懸架された状態で摺動自在に設置されており、図２０に示すように、ノズル部８２０を抱持部８１６より後方に収容された収納位置と、図２７に示すように、ノズル部８２０が抱持部８１６より突出したお尻洗浄位置と、図２９に示すビデ洗浄位置との間を進退可能となっている。
【０１２７】
ノズルカバー８４０はノズルカバー本体８４１と連結部材８４２とで構成されている。ノズルカバー本体８４１はステンレスの薄板を円筒状に形成したものであり、先端面は閉塞面をなし、後端面は開放面となっている。連結部材８４２は樹脂材料で成型された略円筒状であり、両側部にはノズル本体８３０と係合する連結片８４３が形成されている。
【０１２８】
また、連結部材８４２の後端右側には、ノズルカバー８４０の摺動範囲を規制するノズルカバーストッパが一体に形成されており、支持部８１０に形成された前ストッパ受部と後ストッパ受部に当接することにより摺動範囲が規制される構成となっている。
【０１２９】
連結部材８４２の一部はノズルカバー本体８４１の後端の開口よりノズルカバー本体８４１内に挿入された状態で固定され一体化された構成となっている。ノズルカバー本体８４１の前方上面には、ノズル本体８３０のお尻洗浄噴出口８３４とビデ洗浄噴出口８３６が対向可能な噴出開口８４４が１個設けられている。また、ノズルカバー本体８４１の前方下面にはノズルカバー本体８４１内に流出した洗浄水を外部に排出する排水口８４５が設けられている。
【０１３０】
ノズルカバー８４０の内径はノズル本体８３０の外径より僅かに大きい寸法であり、ノズルカバー８４０にノズル本体８３０を挿入した状態で、ノズル本体８３０とノズルカバー８４０が互いにスムーズに摺動可能な寸法関係となっている。
【０１３１】
ノズル本体８３０の後端面には流調弁５１７が設置されている。流調弁５１７はディスクタイプの弁本体５１７ａと切り替え動作を駆動するステッピングモータ５１７ｂで構成されている。流調弁５１７はお尻洗浄流路８３５と、ビデ洗浄流路８３７と、ノズルクリ
ーニング流路８３９に選択的に洗浄水を供給するものである。
【０１３２】
また、流調弁５１７の弁本体５１７ａの外面には流調弁５１７に洗浄水を供給する給水口５１７ｃ設置されており、給水口５１７ｃには支持部８１０の給水継手８１７と連通する接続チューブ８０２が接合されている。
【０１３３】
次に、ノズルカバー８４０の連結部材８４２とノズル本体８３０の連結受部８５１で構成される連結手段８５０について説明する。
【０１３４】
図２６、図３２に示すように、ノズル本体８３０の後端部の外周右側には連結受部８５１が形成されている。連結受部８５１は２本の略Ｖ字型の溝が形成されており、前方の前凹陥部８５１ａと後方の後凹陥部８５１ｂが前後に間隔をあけて２本配置されている。前凹陥部８５１ａと後凹陥部８５１ｂの間隔はお尻洗浄噴出口８３４とビデ洗浄噴出口８３６の間隔と等しい寸法となっている。
【０１３５】
一方、ノズルカバー８４０の連結部材８４２は、略円筒状の樹脂材料で成型され、後部両側部は後方に突出した連結片８４３が形成されており、連結片８４３の後端部には内方に突出した略Ｖ字形状の連結突起８４３ａが形成されている。
【０１３６】
ノズル本体８３０をノズルカバー８４０に挿入した状態においては、ノズルカバー８４０の連結部材８４２の弾性により、連結突起８４３ａがノズル本体８３０の連結受部８５１に常時押し当てられた状態となり、連結突起８４３ａが前凹陥部８５１ａ内または後凹陥部８５１ｂに係合した状態では、ノズル本体８３０とノズルカバー８４０が連結された状態となり、ノズルカバー８４０はノズル本体８３０に牽引されて移動することが可能となる。
【０１３７】
図２６に示すように、連結突起８４３ａが前凹陥部８５１ａに入り込んでいる状態では、図３０に示すように、ノズル本体８３０のビデ洗浄噴出口８３６とノズルカバー８４０の噴出開口８４４が対向した状態となり、図３２に示すように、連結突起８４３ａが後凹陥部８５１ｂに入り込んでいる状態では、図２３、図２８に示すように、お尻洗浄噴出口８３４と噴出開口８４４が対向した状態となる。
【０１３８】
＜７＞洗浄手段の制御と作用動作
図３３は初期使用時における洗浄手段のタイムチャートを示し、図３４は通常使用時における洗浄手段のタイムチャートを示すものである。
【０１３９】
洗浄手段５００の基本的な作用動作としては、水道配管を流れる水道水が、洗浄水として給水接続口５１０から供給され、止水電磁弁５１４が開放されることによりサブタンク６００へ洗浄水が送給される。流路内を流れる洗浄水の流量は定流量弁５１３により一定に維持される。止水電磁弁５１４の駆動は、リモートコントローラ４００および操作部２１０の操作に基づき制御部１３０により制御される。
【０１４０】
サブタンク６００に送給された洗浄水はサブタンク６００内に貯溜されるとともに、熱交換器７００および水ポンプ５１６に送給される。水ポンプ５１６が駆動されることにより洗浄水は流調弁５１７を介してノズル装置８００に送給される。水ポンプ５１６の駆動はリモートコントローラ４００および操作部２１０の操作に基づき制御部１３０により制御される。制御部１３０は水ポンプ５１６を駆動するとともに、熱交換器７００の平板状ヒータ７０２への通電を開始し、洗浄水の加熱を開始する。
【０１４１】
制御部１３０は入水温度センサ６３０と出湯温度センサ７３０の検知情報により、平板
状ヒータ７０２への通電を制御し、洗浄水を操作部２１０の温水温度スイッチ２３１で設定された温度を維持する。
【０１４２】
制御部１３０は操作部２１０およびリモートコントローラ４００の操作情報に基づき流調弁５１７を制御して、ノズル装置８００のお尻洗浄部８３１、ビデ洗浄部８３２、ノズルクリーニング部８３３のいずれかに洗浄水を供給する。これにより、お尻洗浄噴出口８３４、ビデ洗浄噴出口８３６、ノズルクリーニング噴出口８３８のいずれかの噴出口から洗浄水が噴出する。
【０１４３】
次に、本実施の形態の特徴的な構成であるサブタンク６００を使用した洗浄手段の各ステップにおける機能ごとの制御について詳細を説明する。
【０１４４】
図３３は衛生洗浄装置を設置後に初めて使用する場合、あるいは凍結防止のため水抜き操作を実施した後の再使用の場合等、洗浄手段に洗浄水が貯溜されていない初期使用時における洗浄手段の各機能のタイムチャートを示すものである。
【０１４５】
まず、使用者が便座３００に着座すると、プレヒート動作を開始する。プレヒート動作は、着座した使用者が用便後に洗浄操作を行うことを予測して、洗浄手段が確実に使用できる状態に準備する動作であり、熱交換器７００やノズル部８２０等を予め予熱して、洗浄動作の開始直後から快適な洗浄が実施できるようにするものである。
【０１４６】
着座センサが着座を検知した時点Ｐ１で、制御部１３０は止水電磁弁５１４に通電を開始して洗浄水の供給を開始する。これと同時に、流調便５１７を作動させてノズル部８２０のお尻洗浄流路８３５を開放するとともに水位検知センサ６２０の駆動を開始する。水位検知センサ６２０の駆動はお尻洗浄の一連の動作が終了する時点Ｐ１８まで継続される。初期使用時においては、サブタンク６００内は空の状態であり、水位は下限水位以下となっている。
【０１４７】
サブタンク６００に洗浄水が供給されると、水位は下限水位を通過して上昇を続け、水位検知センサ６２０が上限水位を検知した時点Ｐ２で、水ポンプ５１６の駆動を開始するとともに、制御部１３０は時間計測を開始し、所定時間経過した時点Ｐ３に止水電磁弁５１４の通電を停止して洗浄水の供給を停止する。本実施の形態においては、上限水位検知の２秒後の時点Ｐ３で通電を停止する。
【０１４８】
上限水位を検知した時点Ｐ２で、基本的にはサブタンク６００と熱交換器７００と、水ポンプ５１６は満水状態になっているが、２秒間余分に送給を継続することにより、熱交換器７００と水ポンプ５１６により確実に洗浄水を充満させる。
【０１４９】
これにより、熱交換器７００内の空気の排除と洗浄水を確実に満水状態とすることができるので、熱交換器７００の空焚きを確実に防止することができ、安全性と耐久性を向上することができる。また、水ポンプ５１６へ洗浄水を送給して確実に満水状態とすることにより、水ポンプ５１６の送水機能を確実に起動させることができる。
【０１５０】
制御部１３０が、時点Ｐ３で止水電磁弁５１４の通電を停止することにより、サブタンク６００の水位は低下を開始し、水位検知センサ６２０が上限水位の検知が解消した時点Ｐ４で、制御部１３０は熱交換器７００の駆動を開始する。水位の低下を検知することにより、水ポンプ５１６が正常に作動していることを確認し、熱交換器７００の異常温度上昇等を防止することができる。
【０１５１】
プレヒート動作の開始後、出湯温度センサ７３０が設定温度を検知して時点Ｐ６で、制
御部１３０は、水ポンプ５１６と熱交換器７００への通電を停止し、プレヒート動作は終了する。
【０１５２】
プレヒート動作を実施している時点Ｐ３〜Ｐ６の間、サブタンク６００の水位は低下し、水位検知センサ６２０が下限水位を検知した時点Ｐ５で、制御部１３０は止水電磁弁５１４の通電を開始してサブタンク６００への給水を再開し、水位検知センサ６２０が上限水位を検知した時点Ｐ７で通電を停止する。
【０１５３】
サブタンク６００が満水状態となった時点Ｐ７で待機状態となり、使用者が洗浄操作を実施するまで洗浄手段の動作は停止される。
【０１５４】
使用者が操作部２１０またはリモートコントローラ４００の洗浄スイッチ（例えば、お尻洗浄スイッチ２２１または４１０）が操作された時点Ｐ８で、制御部１３０は、水ポンプ５１６と熱交換器７００の駆動を開始するとともに、流調弁５１７を作動させてノズル部８２０のお尻洗浄流路８３５に洗浄水の供給を開始する。
【０１５５】
お尻洗浄流路８３５に供給された洗浄水はお尻洗浄噴出口８３４より噴出する。噴出した洗浄水は噴出開口８４４を通過して支持部８１０の先端に設けられた抱持部８１６の内面にあたって反射しノズルカバー８４０の外面をクリーニングする。このクリーニング動作を前洗浄と称する。前洗浄は熱交換器７００の出湯温度が２５℃に到達してから２秒後の時点Ｐ９まで継続される。
【０１５６】
時点Ｐ９で前洗浄が終了すると、制御部１３０はノズル装置８００の駆動部８６０の駆動を開始し、ノズル部８２０を収納位置からお尻洗浄位置へと進出させる。収納位置からお尻洗浄位置への移動の間は、流調弁５１７を切替えて、ノズルクリーニング流路８３９に洗浄水を供給する。ノズルクリーニング流路８３９に供給された洗浄水はノズルクリーニング噴出口８３８よりノズルカバー８４０の内部に噴出し、噴出した洗浄水はノズルカバー８４０の内面を洗浄した後に排水口８４５よりノズルカバー８４０の外部に流出する。その間ノズル部８２０は洗浄水により温められ、後に実施されるお尻洗浄の開始直後に冷水が噴出して不快を感じることを抑制することができる。
【０１５７】
ノズル部８２０がお尻洗浄位置に到達した時点Ｐ１０で、制御部１３０は流調弁５１７を切替えてお尻洗浄流路８３５に洗浄水の供給を開始する。お尻洗浄流路８３５に供給された洗浄水はお尻洗浄噴出口８３４より噴出し、噴出開口８４４を通過して使用者の局部を洗浄する。お尻洗浄の動作は洗浄停止の操作が行われる時点Ｐ１５まで継続される。
【０１５８】
熱交換器７００の駆動中は、制御部１３０は入水温度センサ６３０と出湯温度センサ７３０の検知データにより、洗浄水を設定された温度に制御する。
【０１５９】
水ポンプ５１６の駆動が継続されることにより、サブタンク６００の水位は低下し、水位検知センサ６２０が下限水位を検知した時点Ｐ１１で制御部１３０は止水電磁弁５１４に通電を開始し、水位検知センサ６２０が上限水位を検知する時点Ｐ１２まで通電を継続する。
【０１６０】
上限水位を検知した時点Ｐ１２で、制御部１３０は止水電磁弁５１４の通電を停止するとともに時間計測を開始し、次に水位検知センサ６２０が下限水位を検知する時点Ｐ１３までの経過時間を計測する。下限水位を検知した時点Ｐ１３で、制御部１３０は計測した経過時間と上限水位から下限水位までの水量（６５ｃｃ）とを演算することにより流量を算出する。演算終了時点Ｐ１４で、洗浄強さ毎に設定された流量と差がある場合は、水ポンプ５１６の出力を調整し、洗浄水の流量を補正する。
【０１６１】
操作部２１０またはリモートコントローラ４００の洗浄停止の操作が行われた時点Ｐ１５で、水ポンプ５１６と熱交換器７００の通電は停止されるとともに、ノズル装置８００の駆動部８６０の駆動が開始され、ノズル部８２０がお尻洗浄位置から収納位置へと後退する。
【０１６２】
ノズル部８２０が収納位置に後退した時点Ｐ１６でノズル装置８００の駆動部８６０の駆動が停止するとともに、水ポンプ５１６と熱交換器７００が再度駆動され、ノズル部８２０をクリーニングする後洗浄が開始され、所定時間経過した時点Ｐ１７で水ポンプ５１６と熱交換器７００の駆動が停止され、後洗浄が終了する。
【０１６３】
ノズル部８２０の後洗浄が終了した時点Ｐ１７で止水電磁弁５１４が再度通電され、サブタンク６００に洗浄水が供給され、上限水位が検知された時点Ｐ１８で止水電磁弁５１４の通電が停止され、お尻洗浄の一連の制御が終了し、サブタンク６００が満水の状態で洗浄手段は待機状態となる。
【０１６４】
図３４は初期使用を既に実施し、サブタンク６００が満水状態である衛生洗浄装置で、使用者が便座３００に着座して洗浄動作を実施した場合の通常使用時のタイムチャートを示すものである。
【０１６５】
図３３に示す初期使用の場合と大きく異なるのは、使用者が便座３００に着座した時点Ｐ２０でサブタンク６００は既に満水状態である点と、制御部１３０が初期使用を実施したことを記憶している点である。
【０１６６】
図３４に示すように、使用者が便座３００に着座した時点Ｐ２０ではサブタンク６００が満水状態で既に待機状態である。制御部１３０は、初期使用の制御を既に実施した記憶データに基づき、着座検知センサが着座を検知した時点Ｐ２０で、プレヒート動作の水ポンプの５１６の駆動を開始するものである。すなわち、図３３の時点Ｐ３以降のプレヒート動作を即座に実施するものであり、それ以降の制御は図３３に示す初期使用時と同様である。
【０１６７】
＜８＞初期使用時の異常状態における制御と作用動作
図１３はサブタンクの異常な満水状態を示す天面部の模式図を示し、図３５は初期使用時における異常状態における洗浄手段のタイムチャートを示すものである。
【０１６８】
本実施の形態のサブタンク６００は、タンク本体６１０の上部に凹陥部６１７を形成し、凹陥部６１７の天面に上限電極６２３と下限電極６２４設置することにより、上限電極６２３と下限電極６２４の基部が常に洗浄水と直接接触しない構成を特徴とするものである。
【０１６９】
しかしながら、上記構成を採用した場合、初期使用時においては水道配管や洗浄水供給流路に滞留した空気がサブタンク６００に大量に送給されることがあり、空気が大量に送給された場合、図１３に示すように、タンク本体６１０の凹陥部６１７より突出して空気溜が形成されることがある。この場合、上限電極６２３は浸水しないため水位を検知することができず、止水電磁弁５１４は解放されたままとなり、サブタンク６００に供給された洗浄水は正規の上限水位以上に上昇し、大気開放口６０３より外部に流出するとともに、洗浄動作が開始されない状態となる。
【０１７０】
本実施の形態における制御ステップにおいては、上記不具合を解消するステップを備えており、以下図３５を参照して詳細を説明する。
【０１７１】
図３５に示すように、着座センサが着座を検知した時点Ｐ１で、制御部１３０は止水電磁弁５１４に通電を開始して洗浄水の供給を開始する。これと同時に水位検知センサ６２０の駆動を開始する。
【０１７２】
異常な空気溜が形成されている場合、サブタンク６００内の水位が上昇し正規の上限水位に到達したＰ２時点において、水位検知センサ６２０は上限水位を検知することができず、洗浄水の供給が継続され、正規の上限水位以上に上昇する。
【０１７３】
通常の洗浄水の供給状態においては、Ｐ１からＰ２の間は、通常は１５秒以内で完了するものであるあるため、止水電磁弁５１４に通電を開始したＰ１時点から第１の所定時間である３０秒経過した時点Ｅ１で、止水電磁弁５１４の通電を停止するとともに水ポンプ５１６の駆動を開始する修整動作を開始する。修整動作は開始時点Ｅ１から第２の所定時間である３秒経過時点Ｅ２まで継続される。修整動作の終了時点Ｅ２で止水電磁弁５１４に通電を再開するとともに水ポンプ５１６の駆動は停止される。
【０１７４】
Ｅ１からＥ２までの修整操作を実施することにより、サブタンク６００内の水位は一旦下がることとなり、この間に凹陥部６１７に溜まりすぎた不要な空気が大気開放口６０３より外部に放出され、正常な状態に修整される。
【０１７５】
空気溜が正常な状態に修整された時点Ｅ２において、止水電磁弁５１４が解放されると洗浄水の供給が再開され、順次水位が上昇して数秒後の時点Ｅ３でサブタンク６００内の水位は正規の上限水位に到達する。この時点Ｅ３で上限電極６２３が上限水位を検知した場合は、図３５の時点Ｐ２に到達したこととなり、以降のステップが実施される。
【０１７６】
一方、空気溜が正常な状態に修整されない場合は、時点Ｅ３においてサブタンク６００内の水位は上限水位に到達するが止水電磁弁５１４は閉塞されずに洗浄水の供給が継続され、正規の上限水位以上に上昇する。このような状態が発生した場合、１回目の修整動作の開始時点Ｅ１から３０秒経過した時点Ｅ４で２回目の修整動作が開始され、３秒経過した時点Ｅ５で２回目の修整動作が終了する。２回目の修整動作により空気溜が正常な状態に修整され、洗浄水の供給が再開されて数秒後にサブタンク６００内の水位は正規の上限水位に到達する。この時点で上限電極６２３が上限水位検知した場合は、図３５に示すように時点Ｐ２に到達したこととなり、以降のステップが実施される。図３５は２回目の修整動作で修整が完了した状態を示すタイムチャートである。
【０１７７】
また、２回目の修整動作を実施後に空気溜が正常な状態に修整しない場合、２回目の修整動作の開始時点Ｅ４から３０秒経過後に制御部１３０はサブタンクが異常であると判定し、衛生洗浄装置１００の制御を停止し、表示灯２４０を点滅させて異常表示を行う。すなわち、着座センサが着座を検知した時点Ｐ１から第３の所定時間である９０秒経過するまでに上限電極６２３が上限水位を検知できない場合は異常と判定するものである。
【０１７８】
なお、止水電磁弁５１４に通電を開始したＰ１時点から３０秒以内に、上限電極６２３が上限水位を検知した場合は、正常状態であり、図３３に示すステップにより制御が実施される。
【０１７９】
上記のような制御ステップを実施することにより、初期使用時に大量の空気がサブタンク６００に送給された場合に、タンク本体６１０の凹陥部６１７で形成される密閉空間より突出して空気溜が形成され、上限電極６２３が水位を検知できない状態が発生した場合、修整動作の制御を実施することで、空気溜を正常状態に修整させ、上限電極６２３が水位を検知することが可能な状態にすることができるので、衛生洗浄装置の不本意な不具合
を解消することができ、信頼性を向上することができる。
【０１８０】
上記のように、本実施の形態における衛生洗浄装置は、洗浄手段の構成において、流量を検知する専用の流量センサを別途設けることなく、サブタンクに設けた水位検知センサにより水位の変化を検知し、流量を演算により検出する構成としたことにより、洗浄手段の構成を簡素化することができるとともに、コスト削減を図ることができる。
【０１８１】
また、水位検知における電極間の出力電圧変化を判定する閾値を温度により補正することにより、水位検知と流量検知の精度を向上することができるとともに、広い範囲に導電率の異なる水を衛生洗浄装置の洗浄水として使用することが可能となることにより、衛生洗浄装置の使用範囲と使い勝手を向上することができる。
【０１８２】
また、衛生洗浄装置の初期使用時において、サブタンクの満水状態検知後に所定時間通水を継続することにより、熱交換器内の空気を排除して洗浄水を確実に満水状態とするこすることができるので、熱交換器の空焚きを確実に防止することができ、安全性と耐久性を向上することができる。また、水ポンプへ洗浄水を送給して確実に満水状態とすることにより、水ポンプの送水機能を確実に起動させることができる。
【０１８３】
また、水ポンプ駆動後に水位検知センサが上限水位の検知が解消された後に熱交換器の通電を開始することにより、水ポンプが正常に作動していることが確認できるので、熱交換器の空焚きを防止することができ、一般的に実施されている流量センサを使用した空焚きを防止の手段より、シンプルな構成と低コストで同様な効果を得ることができ、安全性と信頼性を確保することができる。
【０１８４】
また、サブタンクの上限電極と下限電極が密閉空間内に配置されたことにより、上限電極と下限電極の基部は常に洗浄水と直接接触しない構成であり、上限電極と下限電極の先端が水面より離間した状態においては、上限電極と下限電極の基部とタンク本体の内面に付着した残水とは、確実に離間した状態となり、タンク本体の内面に付着した残水を貯溜水として誤検知することを防止する効果を得ることができる。
【０１８５】
また、初期使用時に大量の空気がサブタンクに送給された場合に、タンク本体の凹陥部で形成される密閉空間より突出して空気溜が形成され、上限電極が水位を検知できない状態が発生した場合、修整動作の制御を実施することで、空気溜を正常状態に修整させ、上限電極が水位を検知することが可能な状態にすることができるので、衛生洗浄装置の不本意な不具合を解消することができ、信頼性を向上することができる。
【０１８６】
なお、本実施の形態においては、タンク本体の天面に凹陥部を２個設け、２個の密閉空間が形成される構成とし、上限電極と下限電極を個別の密閉空間に設置したが、この構成に限るものではなく、１個の密閉空間を形成し、上限電極と下限電極を同一の密閉空間に設置してもよい。
【０１８７】
また、本実施の形態においては、コモン電極をタンク本体の前壁に設置し、２個の水位電極のみを天面の密閉空間に設置したが、これに限るものではなく、全ての電極を天面の密閉空間に設置した構成としてもよく、このような構成とした場合は、残水による誤検知をより確実に防止することができる。
【０１８８】
また、本実施の形態においては、第１の所定時間を３０秒間、第２の所定時間を３秒間、第３の所定時間を９０秒間と設定されているが、これに限るものではなく、サブタンクの大きさや、洗浄手段を構成する部材の容量や性能により最適な所定時間を設定することにより、最良の効果を得ることができる。
【産業上の利用可能性】
【０１８９】
以上のように、本発明にかかる衛生洗浄装置はタンクの水位検知の信頼性を向上することが可能となるので、他の水位検知機能を備えた水応用機器の用途にも適用できる。
【符号の説明】
【０１９０】
１００  衛生洗浄装置
１３０  制御部
２１０  操作部
４００  リモートコントローラ（操作部）
５１４  止水電磁弁
５１６  水ポンプ
６００  サブタンク
６１８  密閉空間
６２３  上限電極
６２４  下限電極
７００  熱交換器
８００  ノズル装置
【図１】
0006371972.tif 000002
【図２】
0006371972.tif 000003
【図３】
0006371972.tif 000004
【図４】
0006371972.tif 000005
【図５】
0006371972.tif 000006
【図６】
0006371972.tif 000007
【図７】
0006371972.tif 000008
【図８】
0006371972.tif 000009
【図９】
0006371972.tif 000010
【図１０】
0006371972.tif 000011
【図１１】
0006371972.tif 000012
【図１２】
0006371972.tif 000013
【図１３】
0006371972.tif 000014
【図１４】
0006371972.tif 000015
【図１５】
0006371972.tif 000016
【図１６】
0006371972.tif 000017
【図１７】
0006371972.tif 000018
【図１８】
0006371972.tif 000019
【図１９】
0006371972.tif 000020
【図２０】
0006371972.tif 000021
【図２１】
0006371972.tif 000022
【図２２】
0006371972.tif 000023
【図２３】
0006371972.tif 000024
【図２４】
0006371972.tif 000025
【図２５】
0006371972.tif 000026
【図２６】
0006371972.tif 000027
【図２７】
0006371972.tif 000028
【図２８】
0006371972.tif 000029
【図２９】
0006371972.tif 000030
【図３０】
0006371972.tif 000031
【図３１】
0006371972.tif 000032
【図３２】
0006371972.tif 000033
【図３３】
0006371972.tif 000034
【図３４】
0006371972.tif 000035
【図３５】
0006371972.tif 000036
【図３６】
0006371972.tif 000037